(57)【要約】      （修正有）【課題】放射能の除染作業で排出された大量の土壌を、長期間にわたって放射線の放射量を低く保持して保管でき、工場で生産したユニットを現場で組立てるのでコストが安く、また解体や移動も容易な組立式保管施設を提供する。【解決手段】ベース部２Ａの中央に壁面部２Ｂを立設して縦断面逆Ｔ字形に形成したコンクリート製の壁ユニット２と、平面Ｌ字形に形成したベース部３Ａの上に、これより小さい平面Ｌ字形の壁面部３Ｂを立設して形成したコンクリート製のコーナー壁ユニット３と、四角形状のコンクリート製の床版ユニットと、上面が傾斜したコンクリート製の屋根ユニット５、６とから構成され、複数枚の床版ユニットを、地面の上に並べて配置して床版を形成し、これを囲むように壁ユニット２とコーナー壁ユニット３を配置してボックス状に組立て、この上に複数枚の屋根ユニット５、６を取付けて内部を密閉する。【選択図】図１
2013256798.tif 000002
【特許請求の範囲】
【請求項１】
ベース部の中央に壁面部を立設して縦断面逆Ｔ字形に形成したコンクリート製の壁ユニットと、平面Ｌ字形に形成したベース部の上に、これより小さい平面Ｌ字形の壁面部を立設して形成したコンクリート製のコーナー壁ユニットと、四角形状のコンクリート製の床版ユニットと、上面が傾斜したコンクリート製の屋根ユニットとから構成され、複数枚の前記床版ユニットを、地面の上に四角形状に並べて配置して床版を形成し、これを囲むように前記壁ユニットとコーナー壁ユニットを配置して隣接する壁面部同士を連結してボックス状に組立て、この上に複数枚の屋根ユニットを取付けて内部を密閉したことを特徴とする組立式保管施設。
【請求項２】
コンクリート製の屋根ユニットが耐アルカリ性ガラス繊維強化コンクリートで形成されていることを特徴とする請求項１記載の組立式保管施設。
【請求項３】
屋根ユニットの底面に、その長手方向と直交する方向に複数の補強リブを間隔をおいて形成したことを特徴とする請求項１記載の組立式保管施設。
【発明の詳細な説明】
【技術分野】
【０００１】
本発明は、工場生産されたコンクリートユニットを現場で組立てて構築する保管施設に関するものである。
【背景技術】
【０００２】
大震災による原子力発電所の爆発により、広範囲にわたって放射線が飛散し、土壤や森林が放射性物質で汚染されている。特に原子力発電所の近隣の市町村では住民の生活圏における被爆の危険性を少なくするため、土壌の表面を除去して早急に除染する必要がある。しかしながらこの除染作業で排出された大量の土壌を保管する場所がなく、現状では空き地などに積み上げて表面をシートで覆う程度のことしか行なわれていない。このような保管方法では住民の生活圏と密接した場所に積み上げた除染土壌から高い量の放射線が放出され、健康上問題であるばかりか、覆ったシートが長い間に破れて雨水が侵入し、除染土壌が流出する危険性もあった。
【０００３】
このように除去した土壌や、建設工事で発生したコンクリート片やアスファルト片等の産業廃棄物を現場で保管する構造物としては、例えば開放面を有する収納ケース状の空間部が形成されたブロック本体と、ブロック本体の開放面を閉塞して空間部を密閉する蓋体とを備え、空間部内に産業廃棄物であるコンクリート片やアスファルト片等を充填するコンクリートブロックが提案されている（特許文献１）。
【０００４】
これは収納ケース状のコンクリートブロックで形成され、その内側空間部に産業廃棄物である土壌やコンクリート片、アスファルト片等を充填すると共に、蓋体によって空間部が密閉されることにより、安全に保管できると共に、コンクリート片やアスファルト片を入れたものは空間部内にコンクリートを充填して密閉することにより、直方体状のコンクリートブロックとして再利用が可能である。
【０００５】
しかしながら、このコンクリートブロックは小型の収納ケース状で大量の土壌やコンクリート片、アスファルト片を収納することができず、特に除染作業で排出された大量の土壌を保管するには効率が悪く、設置コストも高い問題がある。
【先行技術文献】
【特許文献】
【０００６】
【特許文献１】特許第３０５９７０３号
【発明の概要】
【発明が解決しようとする課題】
【０００７】
本発明は上記問題を改善し、放射能の除染作業で排出された大量の土壌を、住民の生活圏と密接した場所に設置保管しても、大量に保管できると共に、長期間にわたって放射線の放射量を低く保持でき、しかも工場で生産したユニットを現場に搬入して、ここで組立てる構造であるため、コストが安く、また解体や移動も容易な組立式保管施設を提供するものである。
【課題を解決するための手段】
【０００８】
本発明の請求項１記載の組立式保管施設は、ベース部の中央に壁面部を立設して縦断面逆Ｔ字形に形成したコンクリート製の壁ユニットと、平面Ｌ字形に形成したベース部の上に、これより小さい平面Ｌ字形の壁面部を立設して形成したコンクリート製のコーナー壁ユニットと、四角形状のコンクリート製の床版ユニットと、上面が傾斜したコンクリート製の屋根ユニットとから構成され、複数枚の前記床版ユニットを、地面の上に四角形状に並べて配置して床版を形成し、これを囲むように前記壁ユニットとコーナー壁ユニットを配置して隣接する壁面部同士を連結してボックス状に組立て、この上に複数枚の屋根ユニットを取付けて内部を密閉したことを特徴とするものである。
【０００９】
本発明の請求項２記載の組立式保管施設は、請求項１において、コンクリート製の屋根ユニットが耐アルカリ性ガラス繊維強化コンクリートで形成されていることを特徴とするものである。
【００１０】
本発明の請求項３記載の組立式保管施設は、請求項１において、屋根ユニットの底面に、その長手方向と直交する方向に複数の補強リブを間隔をおいて形成したことを特徴とするものである。
【発明の効果】
【００１１】
本発明に係る請求項１記載の組立式保管施設によれば、予め工場で壁ユニットとコーナー壁ユニット、および屋根ユニットを製造し、ユニット化して建設現場に搬入して組立てることができるので、作業性に優れ、建設コストを安くすることができる。特に放射能の除染作業で除去した高い放射線量の土壌を保管する場合、コンクリートで形成されているので、放射線の遮蔽効果が高く、住民の生活圏に設置しても被爆の危険性を少なくすることができる。
【００１２】
また請求項２記載の組立式保管施設によれば、耐アルカリ性ガラス繊維強化コンクリートで成型することにより、強度が高く、軽量であり運搬や組立作業が容易である。
【００１３】
また請求項３記載の組立式保管施設によれば、屋根ユニットの底面に、その長手方向と直交する方向に複数の補強リブを間隔をおいて形成したので、強度を向上させることができる。また底面の両側の補強リブで、対向する両側の壁ユニットやコーナー壁ユニットの壁面部の上部を挟んで支持した構造は、更に建物強度を向上させることができる。
【発明を実施するための最良の形態】
【００１４】
以下本発明の実施の一形態を図１ないし図１１を参照して詳細に説明する。図において１は組立式保管施設を示すもので、これはコンクリート製の壁ユニット２と、コンクリート製のコーナー壁ユニット３、コンクリート製の床版ユニット４およびコンクリート製の屋根ユニット５、６を組合せて構成されている。
【００１５】
前記床版ユニット４は図３に示すように厚さが例えば５０ｍｍ、１辺が例えば１１５０ｍｍの正方形状に形成されている。また前記壁ユニット２は、図４に示すように直方体状のベース部２Ａの中央に直方体状の壁面部２Ｂを立設して縦断面逆Ｔ字形にコンクリートで形成されている。またコーナー壁ユニット３は図５に示すように、平面Ｌ字形に形成したベース部３Ａの上に、これより小さい平面Ｌ字形の壁面部３Ｂを立設してコンクリートで形成されている。
【００１６】
壁ユニット２のベース部２Ａは、例えば縦６００ｍｍ、横１０００ｍｍ、高さ１５０ｍｍに形成され、壁面部２Ｂは底部の厚さが１５０ｍｍ、上面の厚さが１００ｍｍで外面にテーパー面８が形成されている。またコーナー壁ユニット３の平面Ｌ字形のベース部３Ａは、例えば縦横７５０ｍｍ、コーナーの切欠部３Ｃが縦横１５０ｍｍ、高さ１５０ｍｍに形成され、また平面Ｌ字形の壁面部３Ｂは縦横５００ｍｍ、底部の厚さが１５０ｍｍ、上面の厚さが１００ｍｍで外面にテーパー面８が形成されている。これら壁ユニット２とコーナー壁ユニット３および床版ユニット４のコンクリート原料としては、例えば普通コンクリートにバライト（重晶石）を混練し、更に表面に塗布することにより放射線遮蔽効果を向上させることができる。またハイアルミナセメント・電融アルミナ・ホウ素含有化合物を組み合わせることにより、放射線遮蔽効果を向上させることができる。
【００１７】
また屋根ユニット５、６は図６および図８に示すように上面が中央から左右に傾斜して、その底面に図７および図９に示すように長手方向と直交する方向に複数の補強リブ９が間隔をおいて一体に形成されている。なお屋根ユニット６の補強リブ９は図９に示すように短く形成されている。更に屋根ユニット５、６の底面の両側には水切り１０が形成されている。また屋根ユニット５、６は中央部の高さが例えば５０ｍｍ、両端部の高さが例えば２０ｍｍで、縦が例えば３５００ｍｍに形成され、屋根ユニット５の横は、例えば１０００ｍｍ、屋根ユニット６は５５０ｍｍに形成されている。また屋根ユニット５、６は例えば軽量で、強度の高い耐アルカリ性ガラス繊維強化コンクリート（ＧＲＣ（Ｇｌａｓｓ  ｆｉｂｅｒｅ  ＲｅｉｎｆｏｒｃｅｄＣｏｎｃｒｅｔｅｏｒＣｅｍｅｎt ））で形成されている。
【００１８】
上記ユニットを組合せて保管施設１を組立てる手順について説明する。先ず図３に示す正方形状の床版ユニット４を図２に示すように整地した地面１２の上に４枚正方形状に並べて床版７を形成する。この後、図１０に示すように床版７の辺に沿って壁ユニット２と壁ユニット３を地面１２の上に並べ、１個の壁ユニット２を除いて隣接する壁ユニット２とコーナー壁ユニット３を連結金具１３で連結していく。
【００１９】
次いでボックス状に組立てた壁ユニット２と壁ユニット３の上に屋根ユニット５、６を載せて、この底面の両側に突設した補強リブ９、９で対向する壁ユニット２の壁面部２Ｂとコーナー壁ユニット３の壁面部３Ｂの上部を両側から挟むように屋根１１を組立てる。この後、入口となる１個の壁ユニット２を除いた部分に放射性物質を吸収するゼオライト１４を詰めた金属やコンクリート製のトレイ１５を置いて組立てを完了する。
【００２０】
この状態で、組立式保管施設１の内部に図１１に示すように防水シート１７を敷いてこの上に、除染作業で除去した土壌を詰めた土嚢袋１９を入口から搬入して防水シート１７の上に積み上げていく。
【００２１】
この土嚢袋１９を入口から搬入する作業の過程で、汚染された土壌が流出する恐れがあるので入口に設置したトレイ１５内のゼオライト１４で土壌に含まれる放射性物質を吸収し、外部への流出を防止することができる。組立式保管施設１内が土嚢袋１９で一杯になったら積み上げた土嚢袋１９の上を防水シート１７で覆う。この後、入口に設置しておいたゼオライト１４を詰めたトレイ１５を取外し、ここに壁ユニット２を嵌めて図１に示すように連結金具１３で連結固定して内部を密閉して土嚢袋１９を保管する。
【００２２】
このように形成された組立式保管施設１は、コンクリートで形成されているので、高い放射線量の土壌を保管しても、放射線の遮蔽効率９０％（壁より１ｍ離れた地点）程度であり、住民の生活圏に設置しても被爆の危険性を少なくすることができる。
【００２３】
またこの組立式保管施設１は、予め工場で壁ユニット２とコーナー壁ユニット３、および屋根ユニット５、６を製造し、ユニット化して建設現場に搬入して組立て、連結金具１３で連結するだけで構築できるので、作業性に優れ、建設コストを安くすることができる。特に屋根ユニット５、６を耐アルカリ性ガラス繊維強化コンクリートで成型したものは、強度が高く、軽量であり運搬や組立作業が容易である。また分解して他の場所への移転も容易に行なうことができる。
【００２４】
更に、屋根ユニット５、６は、この底面に複数の補強リブ９が突設されているので強度が高く、また底面の両側の補強リブ９は図１１に示すように、対向する両側の壁ユニット２の壁面部２Ｂとコーナー壁ユニット３の壁面部３Ｂの上部を挟んで支持しているので建物強度を向上させることができる。また屋根ユニット５、６の底面の両側には水切り１０が形成されているので、内部への雨水の侵入を防止することができる。更に壁ユニット２とコーナー壁ユニット３および屋根ユニット５、６の表面に酸化チタンなどの光触媒を含む塗料を塗布することによりコンクリート表面の汚れを防止して耐久性を高めることができる。
【００２５】
なお上記説明では４枚の床版ユニット４を正方形状に並べて組立式保管施設１を組立てた場合について示したが、図１２に示すように床版ユニット４を縦６枚、横２枚の合計１２枚を長方形状に並べて組立てた構造でも良く、その数は任意に選定することができる。
【産業上の利用可能性】
【００２６】
また上記説明では、放射能で汚染された土壌を保管する保管施設に適用した場合について示したが、建設工事で発生したコンクリート片やアスファルト片等の産業廃棄物を現場で保管する場合にも使用することができる。
【図面の簡単な説明】
【００２７】
【図１】本発明の実施の一形態による組立式保管施設の斜視図である。
【図２】図１の組立式保管施設を示す水平断面図である。
【図３】床版ユニットを示す斜視図である。
【図４】壁ユニットを示す斜視図である。
【図５】コーナー壁ユニットを示す斜視図である。
【図６】屋根ユニットを示す斜視図である。
【図７】屋根ユニットを示す正面図である。
【図８】屋根ユニットを示す斜視図である。
【図９】屋根ユニットを示す側面図である。
【図１０】屋根ユニットの一部を除去して入口を設けた組立式保管施設の屋根ユニットの一部を除去した状態を示す斜視図である。
【図１１】汚染された土壌を詰めた土嚢袋を内部に収納した状態を示す組立式保管施設の断面図である。
【図１２】本発明の他の実施一形態による１２枚の床版ユニットを使用した組立式保管施設の斜視図である。
【符号の説明】
【００２８】
１    組立式保管施設                                        
２    壁ユニット                                            
２Ａ  ベース部                                              
２Ｂ  壁面部                                                
３    コーナー壁ユニット                                    
３Ａ  ベース部                                              
３Ｂ  壁面部    
３Ｃ  切欠部
４    床版ユニット                                          
５    屋根ユニット                                          
６    屋根ユニット                                          
７    床版                                                  
８    テーパー面                                            
９    補強リブ                                              
１０  水切り                                                
１１  屋根                                                  
１２  地面                                                  
１３  連結金具                                              
１４  ゼオライト                                            
１５  トレイ                                                
１７  防水シート                                            
１９  土嚢袋                                                
【図１】
2013256798.tif 000003
【図２】
2013256798.tif 000004
【図３】
2013256798.tif 000005
【図４】
2013256798.tif 000006
【図５】
2013256798.tif 000007
【図６】
2013256798.tif 000008
【図７】
2013256798.tif 000009
【図８】
2013256798.tif 000010
【図９】
2013256798.tif 000011
【図１０】
2013256798.tif 000012
【図１１】
2013256798.tif 000013
【図１２】
2013256798.tif 000014